(57)【要約】【課題】キー配置の自由度が高いとともに良好なデザイン性と組立性が得られる携帯端末を提供する。【解決手段】携帯端末１０は、筐体１１の内面１３Ｃに設けられた台座部２６と、筐体の外側から台座部まで連通する第１連通孔２８と、第１連通孔に対して交差する方向に連通するとともに台座部を貫通する第２連通孔３４と、台座部に固定されるマイクロフォン１８と、第１連通孔および第２連通孔の交差部に設けられた傾斜面４５とを備えている。第１連通孔は筐体の外側に第１開口部２９が設けられている。第２連通孔は、台座部の表面に第２開口部３５が設けられている。傾斜面は、第１開口部および第２開口部に対して所定の角度θで向かうように設けられている。【選択図】図４
2013168801.tif 000002
【特許請求の範囲】
【請求項１】
筐体と、
前記筐体の内面に設けられた台座部と、
前記筐体の外側に第１開口部が設けられるとともに前記台座部まで連通する第１連通孔と、
前記第１連通孔に接続され、前記第１連通孔の連通方向に対して交差する方向に連通するとともに、前記台座部の表面に第２開口部が設けられる第２連通孔と、
前記第２開口部を覆うように前記台座部に固定されるマイクロフォンと、
前記第１連通孔および前記第２連通孔の交差部に設けられ、前記第１開口部および前記第２開口部に対して所定の角度で向かう傾斜面と、を備える携帯端末。
【発明の詳細な説明】
【技術分野】
【０００１】
本発明は、筐体の内面に台座部が設けられ、台座部にマイクロフォンが固定され、台座部の近傍に、筐体外の音をマイクロフォンに案内する連通孔が開口された携帯端末に関する。
【背景技術】
【０００２】
携帯端末のなかには、マイクロフォンの２方向の面から発生した音声をそれぞれ主音孔および副音孔から外部に放出することにより、マイクロフォンからの音声を効率よく筐体の外部へ放出して音声の音圧を高めるようにしたものがある。
この携帯端末によれば、マイクロフォンの電力を大きくしたり、マイクロフォンの電力を上げることなく、音声の音圧を高めることができる（例えば、特許文献１参照）。
【０００３】
しかし、特許文献１の携帯端末は、副音孔がマイクロフォンに連通するマイクロフォン音孔と、マイクロフォンが貼り付けられる台座面とが直角に設置されている。
このため、筐体外の音が副音孔およびマイクロフォン音孔を経てマイクロフォンに効率よく伝えることが難しく、この観点から改良の余地が残されている。
【０００４】
また、携帯端末のなかには、筐体の内部にマイクロフォンが収容され、マイクロフォンの正面に正面音孔が設けられ、背面に背面気室が設けられ、背面気室につながる背面音孔が設けられたものがある。
この携帯端末によれば、正面音孔が筐体の一面に開口され、背面音孔が筐体の一面と異なる筐体の他面に開口されている（例えば、特許文献２参照）。
【先行技術文献】
【特許文献】
【０００５】
【特許文献１】特開２００１−２３０８４１号公報（段落００２５、段落００２６、図５）
【特許文献２】特開平５−７３９０号公報（段落００１６、図１）
【発明の概要】
【発明が解決しようとする課題】
【０００６】
しかし、特許文献２の携帯端末では、マイクロフォンを筐体に貼り付けるための台座面が大きいため、台座面の周囲の筐体を大幅に肉抜きしなければ筐体の外部にヒケが発生し、キー配置の自由度やデザイン性を確保することが難しい。
また、筐体のヒケを抑えるために、台座面の周囲の筐体を一方側から大幅に肉抜きすると、肉抜き用の金型が長くなり、破損等を考慮すると良好な組立性が得られ難い。
【０００７】
本発明は、前述した課題を解決するためになされたものであり、その目的は、キー配置の自由度が高いとともに良好なデザイン性と組立性が得られる携帯端末を提供することにある。
【課題を解決するための手段】
【０００８】
本発明の携帯端末は、筐体と、前記筐体の内面に設けられた台座部と、前記筐体の外側に第１開口部が設けられるとともに前記台座部まで連通する第１連通孔と、前記第１連通孔に接続され、前記第１連通孔の連通方向に対して交差する方向に連通するとともに、前記台座部の表面に第２開口部が設けられる第２連通孔と、前記第２開口部を覆うように前記台座部に固定されるマイクロフォンと、前記第１連通孔および前記第２連通孔の交差部に設けられ、前記第１開口部および前記第２開口部に対して所定の角度で向かう傾斜面と、を備える。
【０００９】
筐体の外側に第１開口部を設け、第１開口部を第１連通孔で台座部まで連通し、第１連通孔および第２連通孔の交差部に傾斜面を設けた。よって、交差部を基準にして第１連通孔の反対側に肉抜孔を設けることができる。
第１連通孔および肉抜孔を台座部の周囲に設けることにより、台座部の周囲の肉厚部を除去できる。これにより、筐体を成形する際に台座部の周囲にヒケが発生することを防止できる。
【００１０】
また、交差部を基準にして第１連通孔の反対側に肉抜孔を設けることにより、肉抜き用の孔を第２連通孔および肉抜孔に二分割できるので、肉抜き用の孔を成形する金型を短く抑えることができる。
これにより、肉抜き用の孔を成形する金型を短く抑えることにより、金型の破損等を考慮する必要がない。
【００１１】
さらに、第１連通孔および第２連通孔の交差部に傾斜面を設け、傾斜面を第１開口部および第２開口部に対して所定の角度で向かうように形成した。
よって、筐体の外部の音を、第１開口部および第１連通孔を経て傾斜面まで導き、傾斜面まで導いた音を傾斜面で反射させて第２連通孔に導くことができる。
第２連通孔に導かれた音を第２開口部を経てマイクロフォンに導くことができる。
このように、筐体外の音を傾斜面でマイクロフォンに向けて反射できるので、傾斜面で反射させた音をマイクロフォンに直接導いて、マイクロフォンに効率よく伝えることができる。
【発明の効果】
【００１２】
本発明の携帯端末によれば、第１連通孔および第２連通孔の交差部に傾斜面を設けることにより、交差部を基準にして第１連通孔の反対側に肉抜孔を設けることができる。
これにより、台座部の周囲の肉厚部を第１連通孔および肉抜孔で除去することにより、筐体を成形する際に台座部の周囲にヒケが発生することを防止できるので、キー配置の自由度を高めるとともにデザイン性を確保できる。
【００１３】
さらに、肉抜き用の孔を第２連通孔および肉抜孔に二分割できるので、肉抜き用の孔を成形する金型を短く抑えることができる。
これにより、肉抜き用の孔を成形する金型を短く抑えることにより、金型の破損等を考慮する必要がなく良好な組立性が得られる。
【図面の簡単な説明】
【００１４】
【図１】本発明に係る携帯端末を示す分解斜視図
【図２】図１の筐体を構成するカバーを裏面側から見た状態を示す斜視図
【図３】図２のＩ部拡大図
【図４】図３のＩＩ−ＩＩ線断面図
【図５】図２のＩＩＩ−ＩＩＩ線断面図
【図６】図１のカバーを成形する際に金型の抜き方向を説明する断面図
【図７】本発明に係る筐体の外側からマイクロフォンに音が導かれる例を説明する断面図
【発明を実施するための形態】
【００１５】
以下、本発明の実施形態に係る携帯端末について図面を参照して説明する。
【００１６】
図１に示すように、携帯端末１０は、略箱状に形成された筐体１１と、筐体１１の下半部に収容された電池パック１４と、筐体１１の上半部に収容されたカメラ１６と、電池パック１４に対向する位置に収容されたマイクロフォン１８とを備えている。
【００１７】
筐体１１は、略矩形状に形成されたシャーシ１２と、シャーシ１２を収容可能なカバー１３とを備えている。
シャーシ１２は、カバー１３の開口１９（図２参照）に収納可能に略矩形状に形成されている。シャーシ１２の裏面に表示部２１が形成され、表示部２１が保護カバー２２（表示部２１および保護カバー２２は図４参照）で覆われている。
【００１８】
電池パック１４は、略矩形体状に形成され、シャーシ１２の表面に配置され、かつカバー１３で覆われることにより筐体１１に収容される。
カメラ１６は、シャーシ１２の表面に配置され、かつカバー１３の開口２３に対向するように設けられている。
【００１９】
カバー１３は、底部１３Ａおよび周壁１３Ｂで略矩形状に形成され、内面（筐体の内面）１３Ｃ（図２参照）が凹状に形成されている。
図２、図３に示すように、カバー１３は、カバー１３の内面１３Ｃのうち下端角部１３Ｄに設けられた台座部２６と、台座部２６の近傍に設けられた第１連通孔２８および肉抜孔３１と、第１連通孔２８に連通された第２連通孔３４（図４参照）とを備えている。
【００２０】
台座部２６は、外形が略矩形状に形成され、中央に第２連通孔３４が略矩形状に開口されている。
図４に示すように、台座部２６は、カバー１３の底部１３Ａに対して所定間隔Ｈをおいて底部１３Ａと平行に設けられている。
この台座部２６は、マイクロフォン１８を支持するために比較的大きな部位に形成されている。
台座部２６の中央に第２連通孔３４（図２も参照）が貫通されている。台座部２６の表面２７に両面テープ４１でマイクロフォン１８が固定されることにより、マイクロフォン１８によって第２開口部３５（すなわち、第２連通孔３４）が覆われている。
【００２１】
台座部２６の近傍に第１連通孔２８が設けられている。
図４、図５に示すように、第１連通孔２８は、台座部２６および底部１３Ａ間に、台座部２６および底部１３Ａに沿って平行に形成されている。
この第１連通孔２８は、周壁１３Ｂの外側に第１開口部２９が設けられ、台座部２６の下方まで連通されることにより傾斜部４４まで延出されている。
【００２２】
図４に示すように、肉抜孔３１は、台座部２６および底部１３Ａ間に設けられ、傾斜部４４を基準にして第１連通孔２８の反対側に設けられている。
この肉抜孔３１は、台座部２６および底部１３Ａに沿って平行に形成されることにより傾斜部４４まで延出され、台座部２６の端部に肉抜開口部３２が設けられている。
【００２３】
このように、台座部２６および底部１３Ａ間の孔が、第１開口部２９と肉抜孔３１とに二分割されている。第１連通孔２８および肉抜孔３１を台座部２６の周囲に設けることにより、比較的大きく形成された台座部２６の周囲の肉厚部を大きく除去できる。
よって、カバー１３を樹脂材で成形する際に、台座部２６の周囲に樹脂材の凝固によるヒケが発生することを防止できる。
このように、台座部２６の周囲にヒケが発生することを防止することにより、カバー１３に設けるキー配置の制約をなくすことができる。
これにより、キー配置の自由度を高めるとともに、カバー１３のデザイン性を確保できる。
【００２４】
また、第１連通孔２８の反対側に肉抜孔３１を設けることにより、肉抜き用の孔を第１連通孔２８および肉抜孔３１に二分割できるので、第１開口部２９の長さ寸法Ｌ１が小さく抑えられ、さらに、肉抜孔３１の長さ寸法Ｌ２が小さく抑えられている。
よって、肉抜き用の孔、すなわち第１連通孔２８および肉抜孔３１を成形する金型を二分割にできるので、それぞれの金型を短く抑えることができる。
【００２５】
これにより、図６に示すように、カバー１３を樹脂材で成形する際に、樹脂材が凝固した後、第１連通孔２８用の金型を第１連通孔２８から矢印Ｃ方向に容易に抜き出し、かつ、肉抜孔３１用の金型を肉抜孔３１から矢印Ｄ方向に容易に抜き出ことができる。
従って、第１連通孔２８用の金型や肉抜孔３１用の金型の破損等を考慮する必要がなく良好な組立性が得られる。
【００２６】
第２連通孔３４は、第１連通孔２８の連通方向（矢印Ａ方向）に対して交差（直交）する方向（矢印Ｂ方向）に連通するとともに、台座部２６の表面２７に第２開口部３５が設けられている。
台座部２６の表面２７に両面テープ４１でマイクロフォン１８が固定されている。これにより、第２開口部３５がマイクロフォン１８に対向する位置に設けられ、マイクロフォン１８によって第２開口部３５が覆われている。
【００２７】
傾斜部４４は、第１連通孔２８および肉抜孔３１間に設けられ、底部１３Ａに対して所定の角度（傾斜角度）θになるように傾斜状に形成されている。
傾斜部４４の傾斜面４５は、第１連通孔２８および第２連通孔３４の交差部に設けられ、第１開口部２９および第２開口部３５に対して所定の角度θ＝４５度で向かうように傾斜されている。
所定の角度θは、一例として、θ＝４５度を例示するが、所定の角度θは４５度以外の角度に設定することも可能である。
【００２８】
よって、図７に示すように、筐体１１の外部の音を、第１開口部２９および第１連通孔２８を経て傾斜面４５まで矢印Ｅの如く導くことができる。傾斜面４５まで導いた音を傾斜面４５で反射させて第２連通孔３４に矢印Ｆの如く導くことができる。
第２連通孔３４に導かれた音をマイクロフォン１８に第２開口部３５を経て矢印Ｆの如く導くことができる。
このように、筐体１１外の音を傾斜面４５でマイクロフォン１８に向けて反射できるので、傾斜面４５で反射させた音をマイクロフォン１８に直接導いて、マイクロフォン１８に効率よく伝えることができる。
【００２９】
なお、本発明に係る携帯端末は、前述した実施形態に限定されるものではなく適宜変更、改良等が可能である。
例えば、前記実施形態で使用した携帯端末、筐体、マイクロフォン、台座部、第１連通孔、第１開口部、第２連通孔、第２開口部および傾斜面等の形状や構成は例示したものに限定するものではなく適宜変更が可能である。
【産業上の利用可能性】
【００３０】
本発明は、筐体の内面に設けられた台座部にマイクロフォンが固定され、台座部の近傍に、筐体外の音をマイクロフォンに案内する連通孔が開口された携帯端末への適用に好適である。
【符号の説明】
【００３１】
１０  携帯端末
１１  筐体
１３Ｃ  カバーの内面（筐体の内面）
１８  マイクロフォン
２６  台座部
２７  台座部の表面
２８  第１連通孔
２９  第１開口部
３４  第２連通孔
３５  第２開口部
４５  傾斜面
θ  所定の角度
【図１】
2013168801.tif 000003
【図２】
2013168801.tif 000004
【図３】
2013168801.tif 000005
【図４】
2013168801.tif 000006
【図５】
2013168801.tif 000007
【図６】
2013168801.tif 000008
【図７】
2013168801.tif 000009